(57)【要約】【課題】整髪練習を行った際に人頭模型から落下してくる落下物を床に落ちる前に受けて回収する。【解決手段】人頭模型固定器具補助部材２００は、人頭模型３００を使った整髪練習の際に落ちてくる髪や水等の落下物を受けるものであり、落下物受け部２１０と、取付け部２２０とを備える。落下物受け部２１０は、人頭模型３００を使った整髪練習の際に落ちてくる髪や水等の落下物を受ける部材であり、支持部１１０を略中心として放射状に広がった形状をしている。落下物受け部２１０は、複数の骨組み部２１１と、軟質性シート２１２とを備える。骨組み部２１１は、支持部１１０を略始点として支持部１１０から離れる方向に伸びている。軟質性シート２１２は、隣り合う骨組み部２１１の間に張られた軟質性のシートである。取付け部２２０は、落下物受け部２１０を支持本体部１１３に取り付けるものである。  【選択図】      図１
0003127967.tif 000002
【実用新案登録請求の範囲】
【請求項１】
整髪練習用人頭模型を支持する支持部を備えた人頭模型固定器具に取り付ける人頭模型固定器具補助部材であって、
前記支持部を略中心として放射状に広がる形状をした落下物受け部と、
前記落下物受け部を前記支持部に取り付ける取付け部と
を具備することを特徴とする人頭模型固定器具補助部材。
【請求項２】
前記落下物受け部は、
前記支持部を略中心として放射状に伸びた複数の骨組み部と、
隣り合う前記骨組み部の間に張設された軟質性シートと
を備えたことを特徴とする請求項１記載の人頭模型固定器具補助部材。
【請求項３】
前記取付け部は、
前記支持部の側面を閉じずに囲んだ弾性を有する取付け本体部と、
前記取付け本体部の外側側面に設けられ、前記骨組み部を挿入させる挿入孔を有する骨組み挿入部と
を備えたことを特徴とする請求項２記載の人頭模型固定器具補助部材。
【請求項４】
前記落下物受け部の前記支持部と近接する付近に排水口をさらに具備することを特徴とする請求項１乃至３記載の人頭模型固定器具補助部材。
【請求項５】
前記排水口から排水される水を蓄積する排水蓄積部をさらに具備することを特徴とする請求項４記載の人頭模型固定器具補助部材。
【請求項６】
整髪練習用人頭模型を支持する棒状の支持部と、
前記支持部を固定する台である支持部固定台と、
前記支持部を中心として放射状に広がる形状をした落下物受け部と、
前記落下物受け部を前記支持部に取り付ける取付け部と
を具備することを特徴とする人頭模型固定器具。
【考案の詳細な説明】
【技術分野】
【０００１】
本考案は、人頭模型を固定する人頭模型固定器具に取り付ける補助部材である人頭模型固定器具補助部材および人頭模型固定器具に関し、特に整髪練習の際に人頭模型から落下してくる髪等を受ける人頭模型固定器具補助部材、および、その人頭模型固定器具補助部材を取り付けた人頭模型固定器具に関する。
【背景技術】
【０００２】
整髪の練習においては、髪を有する人頭模型を人に見立ててその人頭模型の髪をカットしたり、洗髪したりして、整髪の練習が行われていた。そして、整髪の練習の際、人頭模型は、人頭模型を固定する人頭模型固定器具により整髪練習を行いやすい所定の位置に固定されていた。
【０００３】
そのような人頭模型固定器具としては、例えば、支柱と、支柱の高さを調整させる高さ調整機構と、支柱の底面部に３方向に伸びた足を備えた台座と、支柱の上面部付近に人頭模型を支持する突子と、突子の方向を調整させる突子調整機構とを備えた人頭模型固定器具が提案されている（例えば、特許文献１参照。）。この人頭模型固定器具によれば、整髪練習を行う人の体型に応じた位置に人頭模型を位置させることができる。
【特許文献１】実開昭４７−０２０４８７号公報（図２）
【考案の開示】
【考案が解決しようとする課題】
【０００４】
しかしながら、上述の従来の人頭模型固定器具では、整髪練習を行った際にカットした人頭模型の髪を床に落とすことになる。この場合、練習後に床に落ちた人頭模型の髪を掃除することになり面倒である。また、洗髪練習を行うと床が水浸しになる。床が水浸しになると足元がすべりやすくなり危険でもある。
【０００５】
そこで、本考案は、整髪練習を行った際に人頭模型から落下してくる落下物を床に落ちる前に受ける人頭模型固定器具補助部材を提供することを目的とする。
【課題を解決するための手段】
【０００６】
上記課題を解決するために、本考案は、整髪練習用人頭模型を支持する支持部を備えた人頭模型固定器具に取り付ける人頭模型固定器具補助部材であって、上記支持部を略中心として放射状に広がる形状をした落下物受け部と、上記落下物受け部を上記支持部に取り付ける取付け部とを具備することを特徴とするものである。これにより、整髪練習を行った際に人頭模型から落下してくる落下物を床に落ちる前に受けさせるという作用をもたらす。
【０００７】
また、本考案において、上記落下物受け部は、上記支持部を略中心として放射状に伸びた複数の骨組み部と、隣り合う上記骨組み部の間に張設された軟質性シートとを備えたことを特徴とする。これにより、上記落下物受け部を折り畳めるという作用をもたらす。
【０００８】
また、本考案において、上記取付け部は、上記支持部の側面を閉じずに囲んだ弾性を有する取付け本体部と、上記取付け本体部の外側側面に設けられ、上記骨組み部を挿入させる挿入孔を有する骨組み挿入部とを備えたことを特徴とする。これにより、上記挿入孔に上記骨組み部を挿入することにより上記落下物受け部を上記支持部の所定の位置に取り付けさせるという作用をもたらす。
【０００９】
また、本考案において、上記落下物受け部の上記支持部と近接する付近に排水口をさらに具備することを特徴とする。これにより、上記落下物受け部に溜まった水を外部に排水させるという作用をもたらす。
【００１０】
また、本考案において、上記排水口から排水される水を蓄積する排水蓄積部をさらに具備することを特徴とする。これにより、上記排水口から排水される水を上記落下物受け部の外部において蓄積させるという作用をもたらす。
【００１１】
また、本考案は、整髪練習用人頭模型を支持する棒状の支持部と、上記支持部を固定する台である支持部固定台と、上記支持部を中心として放射状に広がる形状をした落下物受け部と、上記落下物受け部を上記支持部に取り付ける取付け部とを具備することを特徴とするものである。これにより、整髪練習を行った際に人頭模型から落下してくる落下物を床に落ちる前に受けさせるという作用をもたらす。
【考案の効果】
【００１２】
本考案によれば、整髪練習を行った際に人頭模型から落下してくる落下物を床に落とさずに回収できるという優れた効果を奏し得る。
【考案を実施するための最良の形態】
【００１３】
次に本考案の実施の形態について図面を参照して詳細に説明する。
【００１４】
図１は、本考案の実施の形態における人頭模型固定器具１００および人頭模型固定器具補助部材２００の一例を示す図である。人頭模型固定器具１００は、人頭模型３００を固定して支持する器具であり、支持部１１０と、支持部固定台１２０とを備える。
【００１５】
支持部１１０は、人頭模型３００を固定して支持するものであり、人頭模型取付け部１１１と、位置調節部１１２と、支持本体部１１３とを備える。人頭模型取付け部１１１は、支持部１１０に人頭模型３００を装着するための部材であり、例えば人頭模型取付け部１１１に人頭模型３００の首部分に設けられた取付け穴３１０を差し込むことによって支持部１１０に人頭模型３００を装着する。
【００１６】
位置調節部１１２は、人頭模型３００の位置を調節させる部材である。人頭模型３００の位置は、位置調節部１１２の略中心を支点として人頭模型取付け部１１１を回動させることにより調節される。本考案の実施の形態における位置調節部１１２として、例えば（図示しない）ベベルギヤを内蔵する位置調節部材１１２ａおよび１１２ｂを嵌め合わせることによって構成された位置調節部１１２が想定される。
【００１７】
位置調節部材１１２ａに内蔵されたベベルギヤは、位置調節部材１１２ｂに内蔵されたベベルギヤとは直角方向に噛み合うになっている。これにより、図１の位置調節部１１２付近に示す矢印方向に位置調節部材１１２ｂおよび人頭模型取付け部１１１は回動することができ、人頭模型３００の位置を調節できる。なお、位置調節部１１２の機構は上記のような機構に限るものではなく、その他の機構として球体を利用した機構を採用してもよい。
【００１８】
支持本体部１１３は、棒状になっており、長さ調節部１１４によりその長さを調節することができる機構になっている。長さ調節部１１４によりその長さを調節することができる機構として、支持本体部１１３を円柱形状の支柱および円柱形状の支柱を挿入させる円筒形状の管により構成して、長さ調節部１１４を円筒形状の管の外側側面を締め付けて円筒形状の管の径を小さくさせることができる部材により構成した機構が一例として挙げられる。これにより、本考案の実施の形態における人頭模型固定器具１００を使用する人の身長に合わせて支持本体部１１３の長さを長さ調節部１１４により調節することができる。
【００１９】
支持部固定台１２０は、支持部１１０を固定する台である。本考案の実施の形態における人頭模型固定器具１００における支持部固定台１２０として、例えば図１に示すように３方向に足が伸びた台座が想定されるが、これに限るものではなく、４方向に足が伸びた台座であってもよい。
【００２０】
人頭模型固定器具補助部材２００は、人頭模型３００を使った整髪練習の際に落ちてくる髪や水等の落下物を受けるものであり、落下物受け部２１０と、取付け部２２０と、排水口２３０と、排水蓄積部２４０とを備える。
【００２１】
落下物受け部２１０は、人頭模型３００を使った整髪練習の際に落ちてくる髪や水等の落下物を受ける部材であり、支持部１１０を略中心として放射状に広がった形状をしている。本考案の実施の形態において落下物受け部２１０は、複数の骨組み部２１１と、軟質性シート２１２とを備える。
【００２２】
骨組み部２１１は、支持部１１０を略始点として支持部１１０から離れる方向に伸びている。本考案の実施の形態において骨組み部２１１は、支持部１１０を略始点として斜め上方向に伸びている。また、本考案の実施の形態において骨組み部２１１は８本あり、８本の骨組み部２１１は、支持部１１０を略中心として放射状に伸びている。
【００２３】
軟質性シート２１２は、隣り合う骨組み部２１１の間に張られた軟質性のシートである。軟質性シート２１２は、さらに防水性をも備えた素材であることが好ましい。軟質性シート２１２の材質として、例えばナイロンやポリエステルが想定されるが、これに限るものではない。
【００２４】
取付け部２２０は、落下物受け部２１０を支持本体部１１３に取り付けるものである。後述するように、取付け部２２０は、支持本体部１１３のどの位置にでも落下物受け部２１０を取り付けることができる構造になっている。なお、取付け部２２０の構造については後述することとする。
【００２５】
排水口２３０は、落下物受け部２１０に落下してきた水を排水するための排水口である。図１に示す本考案の実施の形態における落下物受け部２１０のように落下物受け部２１０が支持部１１０を略中心として上向き放射状に広がった形状をしている場合、落下物受け部２１０に落下してきた水は、落下物受け部２１０の支持部１１０と接する付近に蓄積される。このため、排水口２３０は、落下物受け部２１０の支持部１１０と近接する付近に設けることが好ましい。
【００２６】
排水蓄積部２４０は、排水口２３０から排水される水を蓄積するものであり、排水蓄積容器２４１と、排水蓄積容器取付け部材２４２とを備える。排水蓄積容器２４１は、排水口２３０から排水される水を蓄積する容器であり、排水口２３０の真下付近に位置するように排水蓄積容器取付け部材２４２により支持本体部１１３に取り付ける。
【００２７】
排水蓄積容器２４１は、後述するように排水蓄積容器取付け部材２４２から容易に取り外し可能な構造となっており、排水蓄積容器２４１に相当量の水が溜まったら排水蓄積容器取付け部材２４２から排水蓄積容器２４１を外して水を捨てることができる。また、排水蓄積容器取付け部材２４２は、後述するように支持本体部１１３の任意の位置に取り付けることができる。
【００２８】
図２は、本考案の実施の形態における落下物受け部２１０および取付け部２２０の構造の一例を示す図である。図２（ａ）は、人頭模型固定器具１００に取り付けていない時の落下物受け部２１０を示す図である。落下物受け部２１０は、人頭模型固定器具１００に取り付けた時は図１に示したように支持部１１０を略中心として放射状に広がった形状になっているが、人頭模型固定器具１００に取り付けていない時は放射状に広がった形状になっていない。
【００２９】
落下物受け部２１０は、所定の形状をした軟質性シート２１２に複数の骨組み部２１１を取り付けた形状になっている。落下物受け部２１０を支持本体部１１３に取り付ける際には、落下物受け下部２１３を支持本体部１１３の側面に巻きつけるようにする。
【００３０】
落下物受け下部２１３を支持本体部１１３の側面に巻きつけた後に、軟質性シート２１２の両端に設けられた結合部２１４ａおよび被結合部２１４ｂを結合させる。これにより、落下物受け部２１０は、図１に示すように支持部１１０を略中心として放射状に広がった形状になる。なお、結合部２１４ａおよび被結合部２１４ｂとしては、マジックテープ（登録商標）が想定されるが、これに限るものではない。
【００３１】
また、落下物受け部２１０は、複数の骨組み部２１１および軟質性シート２１２によって構成されているため、人頭模型固定器具１００に取り付けていない時は折り畳んでコンパクトな状態にすることができる。
【００３２】
図２（ｂ）は、本考案の実施の形態における取付け部２２０を示す図である。取付け部２２０は、上述のように落下物受け部２１０を支持部１１０に取り付ける部材であり、取付け本体部２２１と、骨組み挿入部２２３とを備える。
【００３３】
取付け本体部２２１は、弾性を有しており、支持部１１０の側面を閉じずに囲んだ形状をした部材である。取付け本体部２２１は、支持部１１０に取り付ける際は、取付け本体部２２１の閉じていない部分である隙間２２２に力を加えて隙間２２２を広げ、支持部１１０に取り付ける。そして、取付け本体部２２１を支持部１１０に取り付けると、取付け本体部２２１は弾性を有しているため、支持部１１０を締め付ける。この支持部１１０を締め付ける力により、取付け本体部２２１は支持部１１０の所定の位置に固定された状態になる。
【００３４】
取付け本体部２２１の支持部１１０における位置を移動させる場合は、取付け本体部２２１の隙間２２２に力を加えて隙間２２２を広げて支持部１１０の所定の位置に固定された状態を解除して、取付け本体部２２１を移動させる。
【００３５】
骨組み挿入部２２３は、骨組み部２１１を挿入させる孔を有した部材であり、取付け本体部２２１の外側側面に設けられている。骨組み挿入部２２３には、図２（ａ）に示す骨組み部２１１の落下物受け下部２１３より下側に突き出ている部分である骨組み突出部２１５を挿入する。
【００３６】
図２（ｃ）は、落下物受け部２１０を取付け部２２０に取り付けた様子を示す図である。落下物受け部２１０を取付け部２２０に取り付ける際には、上述のように図２（ａ）に示す骨組み突出部２１５を骨組み挿入部２２３に挿入する。これにより、骨組み突出部２１５を骨組み挿入部２２３に挿入するだけで落下物受け部２１０を放射状に広がった状態で支持部１１０に取り付けることができる。
【００３７】
図３は、落下物受け部２１０を支持部１１０に取り付ける様子を示す図である。図３（ａ）は、骨組み突出部２１５を骨組み挿入部２２３に挿入させることにより落下物受け部２１０を取付け部２２０に取り付けた後に、支持部１１０に取付け部２２０を取り付ける様子を示す図である。
【００３８】
取付け本体部２２１は、上述のように弾性を有しており、取付け本体部２２１の隙間２２２に対して図３の矢印方向に力を加えて隙間２２２を広げ、その隙間２２２から取付け本体部２２１を支持本体部１１３に嵌め込む。取付け本体部２２１を支持本体部１１３に嵌め込んだ後に、取付け本体部２２１の隙間２２２に対する力を解除すると、取付け本体部２２１は弾性により元の形に戻る。これにより、取付け本体部２２１は、支持本体部１１３の所定の位置に固定された状態になる。
【００３９】
取付け本体部２２１が支持本体部１１３に取り付けられると、落下物受け部２１０は支持部１１０を略中心とした放射状の形状になる。そして、落下物受け部２１０における結合部２１４ａおよび被結合部２１４ｂを結合させることにより、落下物受け部２１０は支持部１１０を略中心とした閉じた放射状の形状になる。
【００４０】
なお、以上の説明において、落下物受け部２１０を支持部１１０に取り付ける手順は、落下物受け部２１０を取付け部２２０に取り付けた後に取り付けるものとして説明したが、これに限るものではない。すなわち、落下物受け部２１０を支持部１１０に取り付ける手順は、図３（ｂ）に示すように取付け部２２０を支持本体部１１３に取り付けた後に、骨組み突出部２１５を骨組み挿入部２２３に挿入することにより落下物受け部２１０を支持本体部１１３に取り付けてもよい。
【００４１】
図４は、本考案の実施の形態における排水蓄積部２４０を示す図である。排水蓄積部２４０は、上述のように排水蓄積容器２４１と、排水蓄積容器取付け部材２４２とを備える。排水蓄積容器２４１は、上述のように（図示しない）排水口２３０から排水される水を蓄積するものである。排水蓄積容器取付け部材２４２は、弾性を有しており、排水蓄積容器挟持部２４３と、支持挟持部２４４とを備える。
【００４２】
排水蓄積容器挟持部２４３は、排水蓄積容器２４１を挟持するものである。排水蓄積容器取付け部材２４２の閉じていない部分である隙間２４５を広げる方向に力を加えると、排水蓄積容器挟持部２４３の外形が大きくなる。そこに排水蓄積容器２４１を挿入した後に、隙間２４５を広げる方向の力を解除すると、排水蓄積容器挟持部２４３は、排水蓄積容器２４１を締め付けて挟持する。
【００４３】
支持挟持部２４４は、支持本体部１１３を挟持するものである。隙間２４５を広げる方向に力を加えた後に、支持挟持部２４４を支持本体部１１３の周囲を囲む位置に移動させる。その後、隙間２４５を広げる方向の力を解除すると、支持挟持部２４４は、支持本体部１１３を締め付けて挟持する。これにより、排水蓄積容器取付け部材２４２は支持本体部１１３の所定の位置に固定されることになる。
【００４４】
図５は、本考案の別の実施の形態における人頭模型固定器具補助部材４００を示す図である。図５（ａ）は、人頭模型固定器具補助部材４００における落下物受け部４１０を示す図である。落下物受け部４１０は、図２に示した人頭模型固定器具補助部材２００における落下物受け部２１０と同様の機能を有するが、落下物受け部２１０と落下物受け部４１０との相違点は落下物受け部４１０の下方の構造である。
【００４５】
落下物受け部４１０も落下物受け部２１０と同様に、骨組み部４１１と、軟質性シート４１２とを備えており、結合部４１４ａと被結合部４１４ｂとを結合させることにより、落下物受け部４１０を支持部１１０を略中心とした閉じた放射状の形状にする。なお、落下物受け部４１０において落下物受け部２１０と同様の機能を有するものには同様の名称を用いることとし、その説明は既出であるため省略する。
【００４６】
落下物受け部４１０において骨組み部４１１は、落下物受け下部４１３の手前までしか伸びていない。この点が落下物受け部４１０と落下物受け部２１０との相違点である。
【００４７】
図５（ｂ）は、落下物受け部４１０を支持部１１０に取り付ける様子を示す図である。落下物受け部４１０を支持部１１０に取り付ける手順は、まず落下物受け下部４１３を支持本体部１１３に巻きつける。その後、支持本体部１１３に巻きつけた落下物受け下部４１３の上から固定バンド４２０を巻きつけることにより、落下物受け下部４１３を支持本体部１１３に固定する。これにより、落下物受け部４１０は支持部１１０に取り付けられたことになる。
【００４８】
固定バンド４２０の両端には、結合部４２１ａおよび被結合部４２１ｂが設けられており、結合部４２１ａと被結合部４２１ｂとを結合させることにより、落下物受け部４１０を支持本体部１１３の所定の位置に固定する。結合部４２１ａおよび被結合部４２１ｂとしては、マジックテープ（登録商標）が想定されるが、これに限るものではない。
【００４９】
なお、図５（ｂ）では、固定バンド４２０により落下物受け部４１０を支持部１１０の所定の位置に固定する例を示したが、図２で説明した取付け本体部２２１を用いて、支持本体部１１３に巻きつけた落下物受け下部４１３を締め付けて固定しても良い。
【００５０】
また、本考案の別の実施の形態における人頭模型固定器具補助部材４００において排水口４３０から排水される水を蓄積する排水蓄積部４４０は、排水口４３０に直接取り付ける袋形状をしたものにしてもよい。
【００５１】
このように、本考案の実施の形態によれば、人頭模型３００から落下してくる髪や水等の落下物を床に落ちる前に落下物受け部２１０および４１０で受けることができる。落下物受け部２１０および４１０に落ちた落下物は、落下物受け部２１０および４１０を支持部１１０から取り外してゴミ箱に捨てる。これにより、人頭模型３００から発生するゴミを容易に処理することができる。
【００５２】
また、落下物受け部２１０および４１０を骨組み部２１１および軟質性シート２１２により構成すると、落下物受け部２１０および４１０を使用しない際は折り畳むことができるため、収納が容易である。また、落下物受け部２１０および４１０を骨組み部２１１および軟質性シート２１２により構成すると、落下物受け部２１０および４１０を折り畳むことができるため、落下物受け部２１０および４１０で受けた人頭模型３００からの落下物を床に落とさずにゴミ箱に捨てる処理が容易になる。
【００５３】
さらに、落下物受け部２１０および４１０に排水口２３０および排水蓄積部２４０を設けることによって、洗髪練習の際に落下物受け部２１０および４１０に溜まった水の処理が容易になる。
【００５４】
なお、本考案の実施の形態は本考案を具現化するための一例を示したものであり、これに限定されるものではなく本考案の要旨を逸脱しない範囲において種々の変形を施すことができる。
【産業上の利用可能性】
【００５５】
本考案の活用例として、例えば人頭模型を用いて整髪練習を行う際に本考案を適用することができる。
【図面の簡単な説明】
【００５６】
【図１】本考案の実施の形態における人頭模型固定器具１００および人頭模型固定器具補助部材２００の一例を示す図である。
【図２】本考案の実施の形態における落下物受け部２１０および取付け部２２０の構造の一例を示す図である。
【図３】落下物受け部２１０を支持部１１０に取り付ける様子を示す図である。
【図４】本考案の実施の形態における排水蓄積部２４０を示す図である。
【図５】本考案の別の実施の形態における人頭模型固定器具補助部材４００を示す図である。
【符号の説明】
【００５７】
１００  人頭模型固定器具
１１０  支持部
１１１  人頭模型取付け部
１１２  位置調節部
１１２ａ、１１２ｂ  位置調節部材
１１３  支持本体部
１１４  長さ調節部
１２０  支持部固定台
２００、４００  人頭模型固定器具補助部材
２１０、４１０  落下物受け部
２１１、４１１  骨組み部
２１２、４１２  軟質性シート
２１３、４１３  落下物受け下部
２１４ａ、４１４ａ、４２１ａ  結合部
２１４ｂ、４１４ｂ、４２１ｂ  被結合部
２１５  骨組み突出部
２２０  取付け部
２２１  取付け本体部
２２２  隙間
２２３  骨組み挿入部
２３０、４３０  排水口
２４０、４４０  排水蓄積部
２４１  排水蓄積容器
２４２  排水蓄積容器取付け部材
２４３  排水蓄積容器挟持部
２４４  支持挟持部
２４５  隙間
３００  人頭模型
３１０  取付け穴
４２０  固定バンド
【図１】
0003127967.tif 000003
【図２】
0003127967.tif 000004
【図３】
0003127967.tif 000005
【図４】
0003127967.tif 000006
【図５】
0003127967.tif 000007